(57)【特許請求の範囲】
【請求項１】
軒樋と竪樋等を連結し、前記軒樋からの雨水を竪樋等に排水するために用いられる排水連結具であって、
上記排水連結具は、上記軒樋に形成された落し口に嵌挿される筒状部の上端に鍔片部が形成された蓋体と、
上端側には、上記筒状部に外挿される上連結部が形成されると共に、その上端には上記落し口の周縁を挟持して上記鍔片部に重合される鍔部が形成され、且つ、下端側には上記竪樋等に内挿される下連結部が形成された筒状本体とからなり、
上記筒状本体及び蓋体には、両者が圧着されて連結される固着具を設けており、
上記固着具は、上記蓋体の筒状部の対向する内面の各々に掛止部を備え、上記筒状本体の対向する内面の各々には、２つのリンク機構を備えて折り畳み自在とした操作部と、該操作部および他のリンク機構を介して枢着された被掛止部とを備えており、上記操作部を操作したときに、該操作部が折り畳まれて上記掛止部と上記被掛止部が緊張して係止することを特徴にしている排水連結具。
【請求項２】
請求項１において、
上記筒状本体の下連結部には、１以上の段部が形成され、異なるサイズの竪樋等に内挿される構造にしている排水連結具。
【請求項３】
請求項１又は２において、
上記蓋体には、この開口部に被覆される防塵網が設けられている排水連結具。
【発明の詳細な説明】
【０００１】
【発明の属する技術分野】
本発明は、軒樋と竪樋等を連結し、前記軒樋からの雨水を竪樋等に排水するために用いられる排水連結具に関する。
【０００２】
【従来の技術】
図５は、従来の排水連結具を示す使用状態図である。
【０００３】
この排水連結具１００は、軒樋Ｎに形成された落し口Ｎ１に嵌挿される筒状部１１１の外周にネジ部１２１が形成され、且つこの筒状部１１１の上端に鍔片部１３１が形成された蓋体１０１と、上端側には、筒状部１１１のネジ部１２１に螺合されるネジ溝１１２が形成されると共に、その上端には落し口Ｎ１の周縁を挟持して鍔片部１３１に重合される鍔部１２２が形成され、且つ、下端側には竪樋Ｔ等に内挿される下連結部１３２が形成された筒状本体１０２と、蓋体１０１の開口部１４１を被覆して設置された防塵網１０３とから成る。
【０００４】
このような構造の排水連結具１００は、蓋体１０１の筒状部１１１を軒樋Ｎの落し口Ｎ１に嵌挿し、筒状本体１０２のネジ溝１１２を、筒状部１１１のネジ部１２１に螺合すれば、落し口Ｎ１の周縁を挟持したまま、鍔片部１３１と鍔部１２２とが圧着されて、筒状本体１０２と蓋体１０１とが連結される。
【０００５】
そして、筒状本体１０２の下連結部１３２に竪樋Ｔ等を外挿すれば、軒樋Ｎと竪樋Ｔ等が連結され、軒樋Ｎからの雨水を竪樋Ｔ等に排水することができる。
【０００６】
【発明が解決しようとする課題】
しかしながら、この排水連結具１００を連結するには、筒状本体１０２のネジ溝１１２に、筒状部１１１のネジ部１２１を締付けるという螺合構造によるものであった。
【０００７】
そのため、筒状本体１０２と蓋体１０１を連結するには、筒状部１１１を廻して締付けるという手間を要し、その連結作業が面倒であるという問題があった。
【０００８】
また、螺合構造であるため、ネジ溝１１２を備えた筒状本体１０２は円筒形状に限定されてしまい、筒状本体１０２の下連結部１３２には、円筒形状の竪樋Ｔ等以外を直接には連結できないという問題もあった。
【０００９】
本発明は、かかる課題を解決することを目的とするもので、筒状本体と蓋体をワンタッチで連結させて固定でき、しかも異なる形状の竪樋等を連結可能な排水連結具を提供している。
【００１０】
【課題を解決するための手段】
上記目的を達成するため、
請求項１に係る排水連結具は、軒樋と竪樋等を連結し、前記軒樋からの雨水を竪樋等に排水するために用いられる排水連結具であって、上記排水連結具は、上記軒樋に形成された落し口に嵌挿される筒状部の上端に鍔片部が形成された蓋体と、上端側には、上記筒状部に外挿される上連結部が形成されると共に、その上端には上記落し口の周縁を挟持して上記鍔片部に重合される鍔部が形成され、且つ、下端側には上記竪樋等に内挿される下連結部が形成された筒状本体とからなり、上記筒状本体及び蓋体には、両者が圧着されて連結される固着具を設けており、上記固着具は、上記蓋体の筒状部の対向する内面の各々に掛止部を備え、上記筒状本体の対向する内面の各々には、２つのリンク機構を備えて折り畳み自在とした操作部と、該操作部および他のリンク機構を介して枢着された被掛止部とを備えており、上記操作部を操作したときに、該操作部が折り畳まれて上記掛止部と上記被掛止部が緊張して係止することを特徴にしている。
【００１１】
ここで、固着具とは、筒状本体と蓋体とを螺合させて締付ける構造（以下、「螺合構造」と呼ぶ。）のものを除く意味である。
【００１２】
また、竪樋等とは、竪樋に限らず、エルボや呼樋などの連結部品も含む意味である。
【００１３】
請求項１では、筒状本体及び／又は蓋体には、両者が圧着されて連結される固着具を設けているので、この固着具をワンタッチ操作するだけで、蓋体と筒状本体を圧着させて簡単に連結することができる。
【００１４】
また、螺合構造ではないため、筒状本体を所望の形状に形成することができ、様々な形状の竪樋等を筒状本体の下連結部に連結できる。
【００１５】
（削除）
【００１６】
また、被掛止部を掛止部に引掛けて、その操作部を操作すれば、これら掛止部と被掛止部とが緊張されて筒状本体と蓋体とを圧着させて簡単に連結することができる。
【００１７】
（削除）
【００１８】
（削除）
【００１９】
（削除）
【００２０】
（削除）
【００２１】
（削除）
【００２２】
（削除）
【００２３】
請求項２に係る排水連結具は、請求項１において、上記筒状本体の下連結部には、１以上の段部が形成され、異なるサイズの竪樋等に内挿される構造にしている。
【００２４】
請求項２では、筒状本体の下連結部には、１以上の段部が形成されているので、異なるサイズの竪樋等であっても、これを下連結部に簡単に連結することができる。
【００２５】
請求項３に係る排水連結具は、請求項１又は２において、上記蓋体には、この開口部に被覆される防塵網が設けられている。
【００２６】
ここで、防塵網は一体又は別体の何れでも構わない。
【００２７】
請求項３では、防塵網を蓋体の開口部に設けているので、排水内のゴミ除けを行うことができる。
【００２８】
また、防塵網を別体に形成すれば、その取替えも容易に行うことができる。
【００２９】
【発明の実施の形態】
以下、本発明に係る排水連結具Ａを図面に基づき説明する。
【００３０】
図１は、本発明の参考例に係る排水連結具を示す使用状態図である。
【００３１】
この排水連結具Ａは、軒樋Ｎに形成された落し口Ｎ１に嵌挿される筒状部１１の上端に鍔片部１２が形成された蓋体１と、上端側には、筒状部１１に外挿される上連結部２１が形成されると共に、その上端には落し口Ｎ１の周縁を挟持して鍔片部１２に重合される鍔部２２が形成され、且つ、下端側には竪樋Ｔ等に内挿される下連結部２３が形成された筒状本体２と、筒状本体２及び／又は蓋体１には、両者が圧着されて連結される固着具３とから成る。
【００３２】
蓋体１は、落し口Ｎ１の形状に応じて形成され、ここでは、角状に形成された落し口Ｎ１に合わせて形成された角状のものを例示しているが、円状やその他の形状でも構わない。
【００３３】
蓋体１の上方には、この開口部１３に被覆される防塵網４が設けられており、防塵網４は一体又は別体の何れでも構わない。
【００３４】
このような防塵網４を蓋体１の開口部１３に設ければ、排水内の落ち葉などのゴミ除けを行うことができる。
【００３５】
また、防塵網４を別体に形成すれば、その取替えも容易に行うことができる。
【００３６】
筒状本体２は、蓋体１の形状に応じて形成され、ここでは角状に形成されたものを示している。
【００３７】
この筒状本体２の上端側には、筒状部１１に外挿される上連結部２１が形成されると共に、その上端には落し口Ｎ１の周縁を挟持して鍔片部１２に重合される鍔部２２を形成している。
【００３８】
また、筒状本体２の下端側には、竪樋Ｔ等に内挿される下連結部２３を形成している。
【００３９】
この下連結部２３は、竪樋Ｔ等に内挿される形状に形成されているが、下連結部２３に１以上の段部２４を形成して、この段部２４の下方に他の下連結部２３ａを形成することもでき、このような外径の異なる複数の下連結部２３、２３ａを形成すれば、異なるサイズの竪樋Ｔ等であっても、これを下連結部２３、２３ａに簡単に連結することができる。
【００４０】
これらの筒状本体２及び蓋体１には、両者が圧着されて連結される固着具３を設けている。
【００４１】
ここで、固着具３とは、筒状本体２と蓋体１を螺合構造以外の手段によって両者を圧着して連結する構造のものを意味している。
【００４２】
本実施例では、旅行カバン等の止め具に使用されるような固着具３を例示して説明する。
【００４３】
固着具３は、蓋体１の筒状部１１の対向する内面に、一組の掛止部３１を各々形成すると共に、筒状本体２の対応される内面には、掛止部３１に係止される被掛止部３２と操作部３３とを備えた構造となっている。この操作部３３を操作することで、これら掛止部３１と被掛止部３２が緊張されて係止するようになっている。
【００４４】
図２（ａ），（ｂ）は、本発明に係る排水連結具で用いられる固着具を概略的に示した動作説明図である。
【００４５】
なお、図１と対応する部位には、同一符号を付し、その説明は省略している。
【００４６】
図２の例では、筒状本体２の対向する内面には、３つのリンク機構３４，３４，３４を介して環状の被掛止部３２が各々枢着されている。すなわち、被掛止部３２は、図２（ａ），（ｂ）に示すように、２つのリンク機構３４，３４を備えて折り畳み自在とした操作部３３を介して枢着されている。
【００４７】
この被掛止部３２を、図２（ａ）で示すように、蓋体１の掛止部３１に一旦引掛けて、その操作部３３を図中矢印に示すように下方に押し下げれば、これら掛止部３１と被掛止部３２が緊張されて操作部３３が折り畳まれ、図２（ｂ）で示すように、筒状本体２と蓋体１とが圧着されて簡単に連結することができる。
【００４８】
また、掛止部３１と被掛止部３２は、筒状本体２と蓋体１とに逆に設けても同様である。
【００４９】
このように本発明によれば、筒状本体２及び／又は蓋体１には、両者が圧着されて連結される固着具３を設けているので、この固着具３をワンタッチ操作するだけで、蓋体１と筒状本体２を圧着させて簡単に連結することができる。
【００５０】
図３は、本発明に係る固着具の他の参考例を示す使用状態図、図４は、図３の要部を概略的に示した縦断面図である。
【００５１】
なお、図１、図２と共通する部位には同一符号を付し、その説明は省略している。
【００５２】
この固着具３は、筒状本体２の内面に架設され、且つネジ孔５１を設けた本体アーム部５２と、蓋体１の内面に架設され、且つネジ孔５１に重合される孔部５３を設けた蓋体アーム部５４と、ネジ孔５１と孔部５３に貫通されるネジ等の締結具５５とより成る。
【００５３】
すなわち、図３、図４で示す固着具３は、蓋体１と筒状本体２の各々の内面に蓋体アーム部５４及び本体アーム部５２を架設し、両アーム部５２、５４を締結具５５によって締付け、筒状本体２と蓋体１とを圧着させて連結する構造にしている。
【００５４】
ここで、締結具５５による締付けは、上記螺合構造ではない。
【００５５】
また、ネジ孔５１とは、ネジ溝が形成された孔、タップ孔などを含むものであるが、要するに締結具５５が螺合される構造であれば足りる。
【００５６】
また、図例の孔部５３は、締結具５５が貫通される貫通孔を例示しているが、これに限定されるものでなく、この孔部５３をネジ溝が形成された孔やタップ孔などに形成しても構わない。
【００５７】
なお、締結具５５とは、切削機能を備えたタッピングネジの他、ボルト、ナットも含む意味である。
【００５８】
このような構造の固着具３を備えた排水連結具Ａによれば、締結具５５を締付けて本体アーム部５２と蓋体アーム部５４とを圧着すれば、筒状本体２と蓋体１とを圧着させて簡単に連結することができる。
【００５９】
また、図３、図４で示すように、本体アーム部５２と蓋体アーム部５４は、交叉された状態で架設することもできる。
【００６０】
このように本体アーム部５２と蓋体アーム部５４とを交叉された状態で架設すれば、筒状本体２と蓋体１とを圧着させて連結したときには、これら本体アーム部５２と蓋体アーム部５４とを排水内のゴミ除けとして機能させることができる。
【００６１】
なお、本実施例で示された固着具３は、何れもその操作や締付け作業を蓋体１の上方から行う場合を例示したが、これを筒状本体２の下方から作業することも勿論可能であり、排水連結具Ａの設置場所に応じて、固着具３を上、下何れからでも操作できる。
【００６２】
また、固着具３は、１以上あれば足りる。
【００６３】
【発明の効果】
本発明によれば、次のような効果がある。
【００６４】
請求項１に係る排水連結具によれば、筒状本体及び／又は蓋体には、両者が圧着されて連結される固着具を設けているので、この固着具をワンタッチ操作するだけで、蓋体と筒状本体を圧着させて簡単に連結することができる。
【００６５】
また、螺合構造ではないため、筒状本体を所望の形状に形成することができ、様々な形状の竪樋等を筒状本体の下連結部に連結できる。
【００６６】
また、請求項１に係る排水連結具によれば、被掛止部を掛止部に引掛けて、その操作部を操作すれば、これら掛止部と被掛止部とが緊張されて筒状本体と蓋体とを圧着させて簡単に連結することができる。
【００６７】
（削除）
【００６８】
（削除）
【００６９】
請求項２に係る排水連結具によれば、筒状本体の下連結部には、１以上の段部が形成されているので、異なるサイズの竪樋等であっても、これを下連結部に簡単に連結することができる。
【００７０】
請求項３に係る排水連結具によれば、防塵網を蓋体の開口部に設ければ、排水内のゴミ除けを行うことができる。
【００７１】
また、防塵網を別体に形成すれば、その取替えも容易に行うことができる。
【図面の簡単な説明】
【図 １】本発明に係る排水連結具の参考例を示す使用状態図
【図 ２】（ａ），（ｂ）は、本発明に係る排水連結具で用いられる固着具を概略的に示した動作説明図
【図 ３】本発明に係る固着具の他の参考例を示す使用状態図
【図 ４】図３の要部を概略的に示した縦断面図
【図 ５】従来の排水連結具を示す使用状態図
【符号の説明】
Ａ      排水連結具
Ｎ      軒樋
Ｎ１    落し口
Ｔ      竪樋
１      蓋体
１１    筒状部
１２    鍔片部
２      筒状本体
２１    上連結部
２２    鍔部
２３    下連結部
２４    段部
３      固着具
３１    掛止部
３２    被掛止部
３３    操作部
３４    リンク機構
４      防塵網
５１    ネジ孔
５２    本体アーム部
５３    孔部
５４    蓋体アーム部
５５    締結具
【図１】
0004886943.tif 000002
【図２】
0004886943.tif 000003
【図３】
0004886943.tif 000004
【図４】
0004886943.tif 000005
【図５】
0004886943.tif 000006